(57)【要約】【課題】自車両の周囲に位置する他車両のドライバー又は歩行者のうち、自車両のドライバーがコミュニケーションを取りたい相手に向けてメッセージを適切に表示させることができるようにする。【解決手段】コンピュータを、車両の異なる複数の位置に設けられた複数のディスプレイ１に表示可能な複数の表示用メッセージから一以上の表示用メッセージを選択するための指示を取得する指示取得部２８１、及び複数のディスプレイ１のうち、指示取得部２８１が取得した指示に対応する一以上の表示用メッセージに関連付けられたディスプレイ１に、一以上の表示用メッセージを表示させる表示制御部２８２、として機能させるためのメッセージ表示用プログラム。【選択図】図３
2018194976.tif 000002
【特許請求の範囲】
【請求項１】
コンピュータを、
車両の異なる複数の位置に設けられた複数の表示部に表示可能な複数の表示用メッセージから一以上の表示用メッセージを選択するための指示を取得する指示取得部、及び
前記複数の表示部のうち、前記指示取得部が取得した前記指示に対応する前記一以上の表示用メッセージに関連付けられた表示部に、前記一以上の表示用メッセージを表示させる表示制御部、
として機能させるためのメッセージ表示用プログラム。
【請求項２】
前記表示制御部は、前記車両の前方、後方、左方又は右方のいずれかに設けられた前記複数の表示部のうち、一以上の表示部に前記一以上の表示用メッセージを表示させる、
請求項１に記載のメッセージ表示用プログラム。
【請求項３】
前記表示制御部は、左右が反転した鏡文字を含む前記一以上の表示用メッセージを前記車両の前方に設けられた表示部に表示させる、
請求項１又は２に記載のメッセージ表示用プログラム。
【請求項４】
前記表示制御部は、前記車両の速度に基づいて、前記鏡文字を含む前記一以上の表示用メッセージを前記車両の前方に設けられた表示部に表示させるか否かを判定する、
請求項３に記載のメッセージ表示用プログラム。
【請求項５】
前記表示制御部は、前記車両の位置に基づいて、前記鏡文字を含む前記一以上の表示用メッセージを前記車両の前方に設けられた表示部に表示させるか否かを判定する、
請求項３又は４に記載のメッセージ表示用プログラム。
【請求項６】
前記表示制御部は、前記指示取得部が取得した前記指示に基づいて、前記鏡文字を含む前記一以上の表示用メッセージを前記車両の前方に設けられた表示部に表示させるか否かを判定する、
請求項３から５のいずれか一項に記載のメッセージ表示用プログラム。
【請求項７】
前記コンピュータを、
前記車両の動きを検出する動き検出部、及び
前記動き検出部が検出した前記車両の動きに基づいて、記憶部に記憶された複数のメッセージから前記複数の表示用メッセージを選択するメッセージ選択部、
としてさらに機能させる、
請求項１から６のいずれか一項に記載のメッセージ表示用プログラム。
【請求項８】
前記コンピュータを、前記車両の位置を検出する位置検出部としてさらに機能させ、
前記メッセージ選択部は、前記位置検出部が検出した前記車両の位置に基づいて、前記複数のメッセージを選択する、
請求項７に記載のメッセージ表示用プログラム。
【請求項９】
前記コンピュータを、周囲の一以上の車両との距離を検出する距離検出部として機能させ、
前記メッセージ選択部は、前記距離検出部が検出した前記周囲の一以上の車両との距離に基づいて、前記複数のメッセージを選択する、
請求項７又は８に記載のメッセージ表示用プログラム。
【請求項１０】
車両の異なる複数の位置に設けられた複数の表示部に表示可能な複数の表示用メッセージから一以上の表示用メッセージを選択するための指示を取得する指示取得部と、
前記複数の表示部のうち、前記指示取得部が取得した前記指示に対応する前記一以上の表示用メッセージに関連付けられた表示部に、前記一以上の表示用メッセージを表示させる表示制御部と、
を有するメッセージ表示装置。
【請求項１１】
車両の異なる複数の位置に設けられた複数の表示部に表示可能な複数の表示用メッセージから一以上の表示用メッセージを選択するための指示を取得するステップと、
前記複数の表示部のうち、取得した前記指示に対応する前記一以上のメッセージに関連付けられた表示部に、前記一以上のメッセージを表示させるステップと、
を有するメッセージ表示方法。
【発明の詳細な説明】
【技術分野】
【０００１】
本発明は、車両に設けられた表示部にメッセージを表示するためのメッセージ表示用プログラム、メッセージ表示装置、及びメッセージ表示方法に関する。
【背景技術】
【０００２】
従来、ユーザが入力したメッセージを車両の後方に設けられた表示部に表示させるシステムが知られている。特許文献１には、ユーザが発する音声によって入力されたメッセージを車両の後方に設置された表示部に表示させる技術が開示されている。
【先行技術文献】
【特許文献】
【０００３】
【特許文献１】特開１９９５−１０４６７７号公報
【発明の概要】
【発明が解決しようとする課題】
【０００４】
従来の技術を用いることで、例えば、車両を車線変更した場合、後続車に向けてメッセージを表示させることが可能となる。しかしながら、車両の後方に位置する他車両の他に、前方若しくは側方に位置する他車両のドライバー又は歩行者に対して、表示部を介してコミュニケーションを取ることは困難であった。
【０００５】
そこで、本発明はこれらの点に鑑みてなされたものであり、自車両の周囲に位置する他車両のドライバー又は歩行者のうち、自車両のドライバーがコミュニケーションを取りたい相手に向けてメッセージを適切に表示させることができるようにするためのメッセージ表示用プログラム、メッセージ表示装置、及びメッセージ表示方法を提供することを目的とする。
【課題を解決するための手段】
【０００６】
本発明の第１態様に係るメッセージ表示用プログラムは、コンピュータを、車両の異なる複数の位置に設けられた複数の表示部に表示可能な複数の表示用メッセージから一以上の表示用メッセージを選択するための指示を取得する指示取得部、及び前記複数の表示部のうち、前記指示取得部が取得した前記指示に対応する前記一以上の表示用メッセージに関連付けられた表示部に、前記一以上の表示用メッセージを表示させる表示制御部、として機能させる。
【０００７】
前記表示制御部は、前記車両の前方、後方、左方又は右方のいずれかに設けられた前記複数の表示部のうち、一以上の表示部に前記一以上の表示用メッセージを表示させてもよい。
【０００８】
前記表示制御部は、左右が反転した鏡文字を含む前記一以上の表示用メッセージを前記車両の前方に設けられた表示部に表示させてもよい。
【０００９】
前記表示制御部は、前記車両の速度に基づいて、前記鏡文字を含む前記一以上の表示用メッセージを前記車両の前方に設けられた表示部に表示させるか否かを判定してもよい。
【００１０】
前記表示制御部は、前記車両の位置に基づいて、前記鏡文字を含む前記一以上の表示用メッセージを前記車両の前方に設けられた表示部に表示させるか否かを判定してもよい。
【００１１】
前記表示制御部は、前記指示取得部が取得した前記指示に基づいて、前記鏡文字を含む前記一以上の表示用メッセージを前記車両の前方に設けられた表示部に表示させるか否かを判定してもよい。
【００１２】
前記コンピュータを、前記車両の動きを検出する動き検出部、及び前記動き検出部が検出した前記車両の動きに基づいて、記憶部に記憶された複数のメッセージから前記複数の表示用メッセージを選択するメッセージ選択部、としてさらに機能させてもよい。
【００１３】
前記コンピュータを、前記車両の位置を検出する位置検出部としてさらに機能させ、前記メッセージ選択部は、前記位置検出部が検出した前記車両の位置に基づいて、前記複数のメッセージを選択してもよい。
【００１４】
前記コンピュータを、周囲の一以上の車両との距離を検出する距離検出部として機能させ、前記メッセージ選択部は、前記距離検出部が検出した前記周囲の一以上の車両との距離に基づいて、前記複数のメッセージを選択してもよい。
【００１５】
本発明の第２態様のメッセージ表示装置は、車両の異なる複数の位置に設けられた複数の表示部に表示可能な複数の表示用メッセージから一以上の表示用メッセージを選択するための指示を取得する指示取得部と、前記複数の表示部のうち、前記指示取得部が取得した前記指示に対応する前記一以上の表示用メッセージに関連付けられた表示部に、前記一以上の表示用メッセージを表示させる表示制御部と、を有する。
【００１６】
本発明の第３態様のメッセージ表示方法は、車両の異なる複数の位置に設けられた複数の表示部に表示可能な複数の表示用メッセージから一以上の表示用メッセージを選択するための指示を取得するステップと、前記複数の表示部のうち、取得した前記指示に対応する前記一以上のメッセージに関連付けられた表示部に、前記一以上のメッセージを表示させるステップと、を有する。
【発明の効果】
【００１７】
本発明によれば、自車両の周囲に位置する他車両のドライバー又は歩行者のうち、自車両のドライバーがコミュニケーションを取りたい相手に向けてメッセージを適切に表示させることができるという効果を奏する。
【図面の簡単な説明】
【００１８】
【図１】第１実施形態に係るメッセージ表示用システムの概要を示す図である。
【図２】第１実施形態に係るディスプレイを設置した車両の外観の一例を示す図である。
【図３】第１実施形態に係るメッセージ表示装置の構成を示す図である。
【図４】第１実施形態に係るディスプレイに表示された鏡文字を示す図である。
【図５】第１実施形態に係る記憶部が記憶している表示用メッセージデータベースを示す図である。
【図６】第１実施形態に係るメッセージ表示装置が表示用メッセージをディスプレイに表示させる処理の流れを示すフローチャートである。
【図７】第２実施形態に係るメッセージ表示装置の構成を示す図である。
【図８】第３実施形態に係るメッセージ表示装置の構成を示す図である。
【図９】第４実施形態に係るメッセージ表示装置の構成を示す図である。
【発明を実施するための形態】
【００１９】
＜第１実施形態＞
［メッセージ表示用システムＳの概要］
図１は、第１実施形態に係るメッセージ表示用システムＳの概要を示す図である。メッセージ表示用システムＳは、ディスプレイ１及びメッセージ表示装置２を備える。メッセージ表示用システムＳは、メッセージ表示装置２の操作に応じて、自車両の周囲に位置する他車両のドライバー又は歩行者のうち、自車両のドライバー（以下、ユーザという）がコミュニケーションを取りたい相手側に設置されているディスプレイ１に表示用メッセージを表示するためのシステムである。
【００２０】
ディスプレイ１は、少なくとも、メッセージ表示装置２と通信可能な表示部である。ディスプレイ１は、メッセージ表示装置２から受信したメッセージを表示する。ディスプレイ１は、車両の外側から表示内容を確認できる位置であって、当該車両の異なる複数の位置に複数設置されている。ディスプレイ１は、例えば、車両の前方、後方、左方又は右方のいずれかの位置に設置されている。
【００２１】
メッセージ表示装置２は、例えば、スマートフォン、タブレット端末、又はＰＣ（Personal Computer）等の通信端末である。メッセージ表示装置２は、予めインストールされた専用のアプリケーションを実行することにより、ユーザが入力した指示に対応する位置に設置されているディスプレイ１に表示用メッセージを表示させる。したがって、ユーザは、自車両の周囲に位置する他車両のドライバー又は歩行者のうち、ユーザがコミュニケーションを取りたい相手側に設置されているディスプレイ１に表示用メッセージを表示させることができる。
【００２２】
図１に示す車両Ａのユーザが、車線を変更して車両Ｂの前に割り込みをしたいとする。この場合、車線変更前の動作として、メッセージ表示装置２は、まず、複数の表示用メッセージから一以上の表示用メッセージを選択するための表示用メッセージ選択指示をユーザから取得する。図１の場合、ユーザが「左に入れて」と話すと、メッセージ表示装置２は、ユーザが発した音声を認識し、当該音声から表示用メッセージ選択指示として「左」及び「入れて」を取得する。
【００２３】
メッセージ表示装置２は、取得した表示用メッセージ選択指示に基づいて、予め記憶されている複数の表示用メッセージから「車線を間違えたので入れてください」という表示用メッセージを選択する。また、メッセージ表示装置２は、ユーザの表示用メッセージ選択指示に基づいて選択された表示用メッセージと関連付けられている後方のディスプレイ１及び左方のディスプレイ１を表示対象として特定する。
【００２４】
メッセージ表示装置２は、表示用メッセージ及び表示対象ディスプレイ１を示す情報を音声出力により通知し、ユーザに確認を求める。選択した表示用メッセージ及び表示対象ディスプレイ１がユーザの意図した内容である場合、ユーザは、肯定を示す確認指示を入力する。
【００２５】
メッセージ表示装置２は、入力された肯定を示す確認指示に基づいて、後方のディスプレイ１及び左方のディスプレイ１それぞれに表示用メッセージを送信する。後方のディスプレイ１及び左方のディスプレイ１は、受信した表示用メッセージを表示する。
このようにすることで、車両Ｂのドライバーは、車両Ａの左斜め後ろを走行している場合であっても、後方のディスプレイ１及び左方のディスプレイ１のいずれかから表示用メッセージを見ることができる。
【００２６】
続いて、車両Ｂに譲ってもらった車両Ａ（図１における車両Ａ’）の車線変更後の動作として、ユーザが「どうも」と話すと、メッセージ表示装置２は、ユーザが発した音声を認識し、当該音声から表示用メッセージ選択指示として「どうも」を取得する。
【００２７】
メッセージ表示装置２は、取得した表示用メッセージ選択指示に基づいて、予め記憶されている複数の表示用メッセージから「ありがとう」という表示用メッセージを選択する。また、メッセージ表示装置２は、ユーザの表示用メッセージ選択指示に基づいて選択された表示用メッセージと関連付けられている後方のディスプレイ１を表示対象として特定する。
【００２８】
メッセージ表示装置２は、ユーザが通知内容を確認した後に、後方のディスプレイ１に表示用メッセージを送信する。後方のディスプレイ１は、受信した表示用メッセージを表示する。
このようにすることで、メッセージ表示装置２は、表示用メッセージと当該メッセージを表示するディスプレイ１とを関連付けておくことで、表示用メッセージを適切なディスプレイ１に表示させることができる。
以下、ディスプレイ１及びメッセージ表示装置２の詳細について説明する。
【００２９】
［ディスプレイ１の構成］
図２は、第１実施形態に係るディスプレイ１を設置した車両の外観の一例を示す図である。図２（ａ）の車両前方の斜視図、及び図２（ｂ）の車両後方の斜視図に示すように、車両には、前方にディスプレイ１ａが備えられており、左方にディスプレイ１ｂが備えられており、右方にディスプレイ１ｃが備えられており、後方にディスプレイ１ｄが備えられている。
【００３０】
ディスプレイ１は、防水機能を有する場合を除き、車内側に設置される。また、ディスプレイ１は、ドライバーの運転に支障が生じない位置に設置される。例えば、ディスプレイ１は、窓ガラスの上方に設置される。なお、ディスプレイ１は、窓ガラスに重ねて設けられた透過性のディスプレイであってもよい。これにより、ディスプレイ１は、ドライバーの運転に支障が生じないように、より多く、かつ、より大きく表示用メッセージを表示することができる。
【００３１】
［メッセージ表示装置２の構成］
図３は、第１実施形態に係るメッセージ表示装置２の構成を示す図である。メッセージ表示装置２は、操作部２１と、集音部２２と、位置情報取得部２３と、記憶部２４と、通信部２５と、表示部２６と、音出力部２７と、制御部２８とを備える。
【００３２】
操作部２１は、ユーザの操作を受け付ける入力デバイスである。操作部２１は、例えば、表示部２６に重ねて設けられたタッチパネルである。
集音部２２は、周囲の音波を集めることが可能なマイクロフォンである。
位置情報取得部２３は、ＧＰＳ（Global Positioning System）受信機である。位置情報取得部２３は、ＧＰＳ衛星から現在位置を示す情報を受信する。
【００３３】
記憶部２４は、例えば、ＲＯＭ（Read Only Memory）、ＲＡＭ（Random Access Memory）及びハードディスク等の記憶媒体である。記憶部２４は、制御部２８が実行する各種のプログラムを記憶する。また、記憶部２４は、ディスプレイ１に表示可能な複数の表示用メッセージを表示用メッセージデータベースに記憶する。表示用メッセージデータベースの構成については後述する。
【００３４】
通信部２５は、表示用メッセージをディスプレイ１に送信するための無線通信コントローラを含んでいる。
表示部２６は、テキスト及び画像を表示するディスプレイである。
音出力部２７は、音及び音声を出力する。
制御部２８は、例えばＣＰＵである。制御部２８は、記憶部２４に記憶されているプログラムを実行することにより、メッセージ表示装置２に係る機能を制御する。制御部２８は、プログラムを実行することにより、指示取得部２８１、表示制御部２８２として機能する。
【００３５】
指示取得部２８１は、車両の異なる複数の位置に設けられた複数のディスプレイ１に表示可能な複数の表示用メッセージから一以上の表示用メッセージを選択するための指示を取得する。具体的には、指示取得部２８１は、ユーザからの入力を受け付けることにより、表示用メッセージデータベースに記憶されている複数の表示用メッセージから一以上の表示用メッセージを選択するための指示を取得する。
【００３６】
例えば、ユーザが「左に入れて」と話すと、指示取得部２８１は、集音部２２が収集した音声を認識し、当該音声から「左」及び「入れて」の２つの指示を取得する。また、車両が停車中の場合、ユーザは、指示する文字を手動で入力してもよい。この場合、指示取得部２８１は、操作部２１を介して、「左」及び「入れて」の２つの表示用メッセージ選択指示を取得する。
【００３７】
また、指示取得部２８１は、一以上の表示用メッセージを表示対象のディスプレイ１に送信するための確認指示を取得する。具体的には、まず、後述する表示制御部２８２が、表示対象のディスプレイ１に一以上の表示用メッセージを表示させる内容を、音出力部２７から音声出力して、ユーザに確認を求める。そして、例えばユーザが「はい」と話すと、指示取得部２８１は、集音部２２が収集した音声を認識し、肯定を示す確認指示を取得する。このようにすることで、メッセージ表示装置２は、ユーザの意図しない内容がディスプレイ１に表示されるのを防ぐことができる。
【００３８】
表示制御部２８２は、複数のディスプレイ１のうち、指示取得部２８１が取得した表示用メッセージ選択指示に対応する一以上の表示用メッセージに関連付けられたディスプレイ１に、一以上の表示用メッセージを表示させる。具体的には、まず、表示制御部２８２は、指示取得部２８１が取得した確認指示に応じて、車両の前方、後方、左方又は右方のいずれかに設けられた複数のディスプレイ１のうち、指示取得部２８１が取得した表示用メッセージ選択指示に対応する一以上の表示用メッセージに関連付けられた一以上のディスプレイ１に、一以上の表示用メッセージを送信する。そして、一以上のディスプレイ１は、受信した一以上の表示用メッセージを表示する。
【００３９】
ところで、通常、前方車両のドライバーは、バックミラー又はサイドミラーを介して後方車両を見る。前方車両のドライバーが、後方車両のディスプレイ１ａに表示された表示用メッセージを視認する場合、ミラーに写る表示用メッセージが左右反転した鏡文字となるため、前方車両のドライバーは、当該表示用メッセージを瞬時に読むことが困難である。そこで、表示制御部２８２は、鏡文字を含む一以上の表示用メッセージを車両のディスプレイ１ａに表示させる。
【００４０】
図４は、第１実施形態に係るディスプレイ１ａに表示された鏡文字を示す図である。図４（ａ）に示すように、車両の前方を直接見た場合は、ディスプレイ１ａに表示される文字が左右反転して鏡文字になっていることが確認できる。これに対し、図４（ｂ）に示すように、前方車両のバックミラーから見た場合は、ディスプレイ１ａに表示される文字が通常の文字になっていることが確認できる。
このようにすることで、バックミラー又はサイドミラーを介して後方車両を見る前方車両のドライバーは、ディスプレイ１ａに表示される表示用メッセージが通常の文字として写るため、瞬時に表示用メッセージを読むことができる。
【００４１】
図５は、第１実施形態に係る記憶部２４が記憶している表示用メッセージデータベースを示す図である。図５に示す表示用メッセージデータベースは、ディスプレイ１に表示するメッセージと、ユーザから表示用メッセージを選択するために入力される指示と、表示用メッセージを表示させる対象のディスプレイ１を示す表示対象情報と、鏡文字で表示させる対象であるか否かを示す鏡文字対象情報とを関連付けて記憶している。
【００４２】
鏡文字を含む表示用メッセージはディスプレイ１ａに表示されるが、ディスプレイ１ａに表示させる表示用メッセージが、車両に向けたメッセージであるとは限らない。例えば、ユーザが、信号機の無い横断歩道を渡ろうと待っている歩行者に対して横断を譲りたい状況のように、車両が低速又は停車している場合に表示される表示用メッセージは、歩行者に向けたメッセージである可能性が高いことが想定できる。一方、車両が高速で走行している場合にディスプレイ１ａに表示される表示用メッセージは、歩行者に向けたメッセージではなく、車両に向けたメッセージであることが想定できる。
【００４３】
そこで、表示制御部２８２は、例えば、車両の速度に基づいて、鏡文字を含む一以上の表示用メッセージをディスプレイ１ａに表示させるか否かを判定する。具体的には、表示制御部２８２は、位置情報取得部２３が出力する位置情報の変化に基づいて車両の速度を計測し、当該速度に基づいて、ディスプレイ１ａに表示させる表示用メッセージを鏡文字にするか通常の文字にするかを判定する。
【００４４】
より具体的には、表示制御部２８２は、車両の速度が、歩行者が表示用メッセージを視認可能な所定の速度閾値未満であると判定した場合、ディスプレイ１ａに通常の文字で表示用メッセージを表示させる。反対に、表示制御部２８２は、車両の速度が所定の速度閾値以上であると判定した場合は、ディスプレイ１ａに鏡文字の表示用メッセージを表示させる。所定の速度閾値は、例えば時速１０ｋｍである。
【００４５】
このように、表示制御部２８２が車両の速度に基づいて表示用メッセージの表示態様を制御することで、メッセージ表示装置２は、車両の運転状況に応じて、コミュニケーションを取りたい相手に適切な態様で表示用メッセージを表示させることができる。
【００４６】
表示制御部２８２は、ディスプレイ１ａに表示させる表示用メッセージが前方車両のドライバーに向けたメッセージであるか歩行者に向けたメッセージであるかを車両の速度以外の要素に基づいて判定してもよい。例えば、車両が高速道路を走行している場合は、ユーザが歩行者に向けたメッセージを表示したいとは考えにくく、ユーザは他の車両のドライバーに向けたメッセージを表示したいということが想定できる。
【００４７】
そこで、表示制御部２８２は、車両の位置に基づいて、鏡文字を含む一以上の表示用メッセージをディスプレイ１ａに表示させるか否かを判定してもよい。具体的には、表示制御部２８２は、位置情報取得部２３が出力する位置情報の変化に基づいて車両の現在位置を特定し、当該現在位置に基づいて、ディスプレイ１ａに表示させる表示用メッセージを鏡文字にするか通常の文字にするかを判定する。
【００４８】
そして、表示制御部２８２は、選択した表示用メッセージが歩行者に向けたメッセージである場合において、歩行者が存在し得る場所に車両が位置していると判定した場合は、ディスプレイ１ａに通常の文字で表示用メッセージを表示させる。反対に、表示制御部２８２は、歩行者が存在し得ない場所に車両が位置していると判定した場合は、ディスプレイ１ａに鏡文字で表示用メッセージを表示させる。
このようにすることで、メッセージ表示装置２は、車両が存在する位置に応じて、コミュニケーションを取りたい相手に表示用メッセージを適切に表示させることができる。
【００４９】
また、例えば、図５で示す「急いでいるので譲ってください」というメッセージを表示する相手は、前方車両に向けたメッセージである可能性が高い。つまり、表示用メッセージの内容によってディスプレイ１ａに表示させる文字が鏡文字か通常文字かを判定することができる場合がある。そこで、表示制御部２８２は、指示取得部２８１が取得したメッセージ選択指示に基づいて、鏡文字を含む一以上の表示用メッセージをディスプレイ１ａに表示させるか否かを判定してもよい。表示制御部２８２は、例えば、表示用メッセージに関連付けて記憶されている鏡文字対象情報が鏡文字対象の表示用メッセージであることを示している場合に、鏡文字の状態で表示用メッセージをディスプレイ１ａに表示させる。
【００５０】
このように、表示制御部２８２が表示用メッセージの内容に基づいて表示用メッセージの表示態様を制御することで、メッセージ表示装置２は、前方車両のドライバーが見る可能性が高い表示用メッセージを前方車両のドライバーがバックミラーで視認しやすい態様でディスプレイ１ａに表示させることができる。
【００５１】
［表示用メッセージをディスプレイ１に表示させる処理］
以下、メッセージ表示用システムＳにおける処理の流れについて説明する。図６は、第１実施形態に係るメッセージ表示装置２が表示用メッセージをディスプレイ１に表示させる処理の流れを示すフローチャートである。本フローチャートは、メッセージ表示装置２を使用するユーザが、表示用メッセージをディスプレイ１に表示させるためのアプリケーションソフトウェアを起動する操作を行ったことを契機として開始する（Ｓ１０）。
【００５２】
指示取得部２８１は、複数の表示用メッセージから一以上の表示用メッセージを選択するための指示をユーザから取得する（Ｓ２０）。具体的には、指示取得部２８１は、集音部２２を有効化して、ユーザから表示用メッセージ選択指示の入力を受け付ける。そして、指示取得部２８１は、集音部２２を介して入力された、ユーザが発する音声を認識して表示用メッセージ選択指示を取得する。例えば、ユーザが「前を譲って。お願い。」と話すと、指示取得部２８１は、集音部２２を介して、ユーザが発した音声を認識して、「前」、「譲って」、及び「お願い」という３つの表示用メッセージ選択指示を取得する。
【００５３】
続いて、表示制御部２８２は、表示用メッセージデータベースを参照し、指示取得部２８１が取得した表示用メッセージ選択指示と関連付けられている表示用メッセージを取得する（Ｓ３０）。例えば、表示制御部２８２は、図５に示す「譲って」という表示用メッセージ選択指示に対応する表示用メッセージ「急いでいるので譲ってください」と、「前」及び「お願い」という表示用メッセージ選択指示に対応する表示用メッセージ「お願いします」とを取得する。なお、１つの表示用メッセージ選択指示に対して表示用メッセージが複数存在する場合、表示制御部２８２は、該当する複数の表示用メッセージを表示部２６に表示し、ディスプレイ１に表示させる表示用メッセージをユーザに選択させてもよい。
【００５４】
続いて、表示制御部２８２は、一以上の表示用メッセージを表示させるディスプレイ１を特定する（Ｓ４０）。具体的には、表示制御部２８２は、表示用メッセージデータベースを参照し、指示取得部２８１が取得した表示用メッセージ選択指示と関連付けられている一以上の表示対象を特定する。例えば、表示制御部２８２は、図５に示す選択した２つの表示用メッセージと関連付けられているディスプレイ１ａを特定する。
【００５５】
続いて、表示制御部２８２は、表示対象がディスプレイ１ａか否かを判定する（Ｓ５０）。表示制御部２８２は、表示対象がディスプレイ１ａでないと判定した場合、表示対象のディスプレイ１に一以上の表示用メッセージを表示させる内容を、音出力部２７から音声出力する（Ｓ８０）。具体的には、表示制御部２８２は、選択した一以上の表示用メッセージの内容、表示対象として特定した一以上のディスプレイ１の位置、及び鏡文字対象であるか否かを音出力部２７から音声出力する。一方、表示制御部２８２は、表示対象がディスプレイ１ａであると判定した場合、表示用メッセージを鏡文字にするか否かを判定する（Ｓ６０）。表示制御部２８２は、表示用メッセージと関連付けられている鏡文字対象が「対象外」の場合、処理をＳ８０に進める。
【００５６】
表示制御部２８２は、表示用メッセージと関連付けられている鏡文字対象が「対象」の場合、表示用メッセージを左右反転して鏡文字に変換し（Ｓ７０）、処理をＳ８０に進める。音声出力された内容がユーザの意図しない内容であり、例えばユーザが「いいえ」と話した場合、指示取得部２８１は、集音部２２を介して入力された否定を示す確認指示を取得する。表示制御部２８２は、否定を示す確認指示に基づいて、処理をＳ２０に戻す（Ｓ９０）。一方、音声出力された内容がユーザの意図する内容であり、例えばユーザが「はい」と話した場合、指示取得部２８１は、集音部２２を介して入力された肯定を示す確認指示を取得する。表示制御部２８２は、肯定を示す確認指示に基づいて、処理をＳ１００に進める（Ｓ９０）。表示制御部２８２は、通信部２５を介して、一以上の表示用メッセージを表示対象の一以上のディスプレイ１に送信する（Ｓ１００）。そして、一以上の表示用メッセージを受信した一以上のディスプレイ１は、表示用メッセージを表示する。
【００５７】
［第１実施形態における効果］
以上説明したとおり、第１実施形態に係るメッセージ表示用システムＳは、ユーザが入力した表示用メッセージ選択指示に基づいて、表示用メッセージを取得し、表示対象のディスプレイ１に鏡文字を含む表示用メッセージを送信して、ディスプレイ１に表示用メッセージを表示させた。このようにすることで、メッセージ表示用システムＳは、ユーザの表示用メッセージ選択指示に基づいて、一以上のディスプレイ１のうち、適切なディスプレイ１に適切な文字の態様で表示用メッセージを表示させることができる。その結果、ユーザは、自車両の周囲に位置する他車両のドライバー又は歩行者のうち、自車両のドライバーがコミュニケーションを取りたい相手に向けてメッセージを適切に表示させることができる。
【００５８】
＜変形例＞
なお、本実施形態におけるメッセージ表示用システムＳは、一般車両のみならず、タクシーにおいても採用することができる。例えば、利用状況を車両の前後左右に備えられたディスプレイ１に表示することで、タクシーに乗りたいと考えている利用者が車両の前方のみならず、後方又は左右方のディスプレイ１から空車か否かを認識することができる。また、乗車する際に「どうぞお乗りください」とディスプレイ１に表示されると、利用者として認識されていることを確認することができる。
【００５９】
メッセージ表示装置２は、タクシーに備えられている利用状況を示すタクシー表示機、又はオートドア等の車両に備えられた装置において行われた操作に応じて表示用メッセージを表示させる装置であってもよい。この場合、指示取得部２８１は、車両に備えられている装置において行われた操作に基づいて、車両の異なる複数の位置に設けられた複数のディスプレイ１に表示可能な複数の表示用メッセージから一以上の表示用メッセージを選択するための指示を取得する。例えば、タクシー表示機で「空車」が選択されている場合、指示取得部２８１は、「空車」という表示用メッセージ選択指示をタクシー表示機から取得する。
【００６０】
表示制御部２８２は、複数のディスプレイ１のうち、指示取得部２８１が取得した表示用メッセージ選択指示に対応する一以上の表示用メッセージに関連付けられたディスプレイ１に、一以上の表示用メッセージを表示させる。例えば、表示制御部２８２は、表示用メッセージデータベースを参照し、取得した表示用メッセージ選択指示に基づいて、車両の前後左右に備えられたディスプレイ１に「空車です」という表示用メッセージを表示させる。また、タクシー表示機で精算ボタンが押下されてから所定の時間（例えば、顧客が精算に要する時間に基づいて定められる時間）が経過するまでの間、表示制御部２８２は、左方のディスプレイ１ｂに「ありがとうございました」という表示用メッセージを表示させてもよい。
【００６１】
＜第２実施形態＞
［車両の動きに基づいて表示用メッセージを選択する］
続いて、第２実施形態について説明する。第１実施形態に係るメッセージ表示用システムＳは、ユーザの表示用メッセージ選択指示に基づいて表示用メッセージを取得した。しかし、車両の運転状況によって表示用メッセージを選択することが可能な場合もある。そこで、第２実施形態に係るメッセージ表示用システムＳは、車両の動きに基づいて表示用メッセージを選択する。以下、第１実施形態と異なる部分について説明を行う。第１実施形態と同じ部分については適宜説明を省略する。
【００６２】
図７は、第２実施形態に係るメッセージ表示装置２の構成を示す図である。図７に示すように、第２実施形態に係るメッセージ表示装置２は、加速度検出部２９をさらに備える。加速度検出部２９は、スマートフォンの加速度を検出する加速度センサーである。また、第２実施形態に係る制御部２８は、動き検出部２８３、及びメッセージ選択部２８４をさらに備える。
【００６３】
動き検出部２８３は、加速度検出部２９が検出した加速度に基づいて、車両の動きを検出する。例えば、ユーザが前方車両に対して先を譲ってほしいと思い、前方車両に対して接近及び離反を繰り返している場合、動き検出部２８３は、車両が加速及び減速を繰り返す動きを検出する。
【００６４】
メッセージ選択部２８４は、動き検出部２８３が検出した車両の動きに基づいて、記憶部２４に記憶されている複数の表示用メッセージから一以上の表示用メッセージを選択する。例えば、表示用メッセージデータベースには、車両が「加速及び減速を繰り返す」動き属性に対して「急いでいるので譲ってください」という表示用メッセージが関連付けて記憶されているとする。
【００６５】
メッセージ選択部２８４は、表示用メッセージデータベースを参照し、動き検出部２８３が検出した車両の動き属性に対応する表示用メッセージを選択する。具体的には、メッセージ選択部２８４は、動き検出部２８３が「加速及び減速を繰り返す」動きを検出した場合、「急いでいるので譲ってください」という表示用メッセージを選択する。
【００６６】
続いて、メッセージ選択部２８４は、表示対象のディスプレイ１に一以上の表示用メッセージを表示させる内容を音出力部２７から音声出力し、ユーザに確認を求める。音声出力された内容がユーザの意図する内容であり、例えばユーザが「はい」と話した場合、指示取得部２８１は、集音部２２を介して入力された肯定を示す確認指示を取得する。そして、表示制御部２８２は、肯定を示す確認指示に基づいて、一以上の表示用メッセージを表示対象の一以上のディスプレイ１に表示させる。
【００６７】
［第２実施形態における効果］
以上説明したとおり、第２実施形態に係るメッセージ表示用システムＳは、車両の動きに対応する表示用メッセージを選択し、表示対象のディスプレイ１に表示させる。このようにすることで、メッセージ表示用システムＳは、車両の運転状況に応じて表示用メッセージを選択することができる。これにより、メッセージ表示用システムＳは、ユーザによる表示用メッセージ選択指示を省略することができるので、表示用メッセージを表示させるまでの時間が短くなり、適切な表示タイミングで表示メッセージを表示させることができる。
【００６８】
＜第３実施形態＞
［車両の位置に基づいて表示用メッセージを選択する］
続いて、第３実施形態について説明する。第１実施形態に係るメッセージ表示用システムＳは、ユーザの表示用メッセージ選択指示に基づいて表示用メッセージを取得した。これに対して、第３実施形態に係るメッセージ表示用システムＳは、車両が走行している位置に基づいて表示用メッセージを選択する点で異なる。
【００６９】
図８は、第３実施形態に係るメッセージ表示装置２の構成を示す図である。図８に示すように、第３実施形態に係る制御部２８は、メッセージ選択部２８４、及び位置検出部２８５をさらに備える。
位置検出部２８５は、位置情報取得部２３が出力した位置情報に基づいて、車両の位置を検出する。例えば、車両が高速道路を走行している場合、位置検出部２８５は、車両の現在位置が高速道路であることを検出する。
【００７０】
メッセージ選択部２８４は、位置検出部２８５が検出した車両の位置に基づいて、複数のメッセージを選択する。例えば、表示用メッセージデータベースには、「高速道路」という位置属性に対して「入れてください」という表示用メッセージが関連付けて記憶されているとする。
【００７１】
メッセージ選択部２８４は、表示用メッセージデータベースを参照し、位置検出部２８５が検出した位置属性に対応する表示用メッセージを選択する。具体的には、メッセージ選択部２８４は、位置検出部２８５が「高速道路」位置を検出した場合、「入れてください」という表示用メッセージを選択する。
【００７２】
続いて、ユーザが「右に入れて」と話すと、指示取得部２８１は、「右」及び「入れて」という２つの表示用メッセージ選択指示を取得する。表示制御部２８２は、メッセージ選択部２８４が選択した２つの表示用メッセージの中から、「右」及び「入れて」の表示用メッセージ選択指示に対応する表示用メッセージ「入れてください」を取得する。そして、表示制御部２８２は、取得した表示用メッセージに関連付けられている右方のディスプレイ１ｃ及び後方のディスプレイ１ｄに表示用メッセージを表示させる。
【００７３】
メッセージ選択部２８４は、位置検出部２８５が検出した車両の位置が高速道路の合流点である場合に、高速道路の合流点に対応する表示用メッセージとして、「入れてください」を選択してもよい。さらにメッセージ選択部２８４は、位置検出部２８５が検出した位置に対応する合流点の手前における車両の走行位置に基づいて、「右に入れてください」及び「左に入れてください」のうち、どちらの表示用メッセージを選択するかを決定してもよい。
【００７４】
［第３実施形態における効果］
以上説明したとおり、第３実施形態に係るメッセージ表示用システムＳは、車両の位置に対応する表示用メッセージを選択し、表示対象のディスプレイ１に表示させる。このようにすることで、メッセージ表示用システムＳは、車両の位置に応じて表示用メッセージを選択することができる。これにより、メッセージ表示用システムＳは、ユーザによる表示用メッセージ選択指示を省略することができるので、表示用メッセージを表示させるまでの時間が短くなり、適切な表示タイミングで表示メッセージを表示させることができる。
【００７５】
＜第４実施形態＞
［周囲の車両との距離に基づいて表示用メッセージを選択する］
続いて、第４実施形態について説明する。第１実施形態に係るメッセージ表示用システムＳは、ユーザの表示用メッセージ選択指示に基づいて表示用メッセージを取得した。これに対して、第４実施形態に係るメッセージ表示用システムＳは、周囲の車両との距離に基づいて表示用メッセージを選択する点で異なる。第４実施形態に係る車両は、周囲の車両との距離を計測するためのカメラをさらに備える。
【００７６】
図９は、第４実施形態に係るメッセージ表示装置２の構成を示す図である。図９に示すように、第４実施形態に係る制御部２８は、メッセージ選択部２８４、及び距離検出部２８６をさらに備える。
距離検出部２８６は、車両に設けられたカメラの映像に基づいて、周囲の一以上の車両との距離を検出する。具体的には、距離検出部２８６は、まず、通信部２５を介して、カメラの映像を取得する。そして、距離検出部２８６は、取得した映像に基づいて、周囲の一以上の車両との距離を検出する。
【００７７】
メッセージ選択部２８４は、距離検出部２８６が検出した周囲の一以上の車両との距離に基づいて、メッセージを選択する。例えば、表示用メッセージデータベースには、「５ｍ以内」という距離属性に対して「お先にどうぞ」という表示用メッセージが関連付けて記憶されているとする。距離検出部２８６が後方車両との距離が５ｍ以内であることを検出すると、メッセージ選択部２８４は、表示用メッセージデータベースを参照し、距離検出部２８６が検出した距離に対応する「お先にどうぞ」という表示用メッセージを選択する。
【００７８】
メッセージ選択部２８４は、接近している車両の方向に応じてメッセージを選択してもよい。例えば、表示用メッセージデータベースには、「２ｍ以内」という距離属性、及び「左方、右方」という方向属性に対して「入れてください」という表示メッセージが関連付けられて記憶されているとする。距離検出部２８６が右方車両との距離が２ｍ以内であることを検出すると、メッセージ選択部２８４は、表示用メッセージデータベースを参照し、距離検出部２８６が検出した距離に対応する「入れてください」という表示用メッセージを選択する。
【００７９】
［第４実施形態における効果］
以上説明したとおり、第４実施形態に係るメッセージ表示用システムＳは、周囲の車両との距離に対応する表示用メッセージを選択し、表示対象のディスプレイ１に表示させる。このようにすることで、メッセージ表示用システムＳは、周囲の状況に応じて表示用メッセージを選択することができる。これにより、メッセージ表示用システムＳは、ユーザによる表示用メッセージ選択指示を省略することができるので、表示用メッセージを表示させるまでの時間が短くなり、適切な表示タイミングで表示メッセージを表示させることができる。
【００８０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００８１】
例えば、以上の説明においては表示用メッセージが日本語から構成される例を示したが、表示用メッセージの言語は任意である。
【符号の説明】
【００８２】
１  ディスプレイ
２  メッセージ表示装置
２１  操作部
２２  集音部
２３  位置情報取得部
２４  記憶部
２５  通信部
２６  表示部
２７  音出力部
２８  制御部
２９  加速度検出部
２８１  指示取得部
２８２  表示制御部
２８３  動き検出部
２８４  メッセージ選択部
２８５  位置検出部
２８６  距離検出部
【図１】
2018194976.tif 000003
【図２】
2018194976.tif 000004
【図３】
2018194976.tif 000005
【図４】
2018194976.tif 000006
【図５】
2018194976.tif 000007
【図６】
2018194976.tif 000008
【図７】
2018194976.tif 000009
【図８】
2018194976.tif 000010
【図９】
2018194976.tif 000011
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
コンピュータを、
車両の前方、後方、左方又は右方のいずれかに設けられた複数の表示部に表示可能な複数の表示用メッセージから一以上の表示用メッセージを選択するための指示を取得する指示取得部、及び
前記車両の速度が、歩行者が表示メッセージを視認可能であるか否かを示す所定の速度閾値以上であることを条件として、前記車両の前方に設けられた表示部に、前記指示取得部が取得した前記指示に対応する左右が反転した鏡文字に変換させた前記一以上の表示用メッセージを表示させる表示制御部、
として機能させるためのメッセージ表示用プログラム。
【請求項２】
コンピュータを、
車両の前方、後方、左方又は右方のいずれかに設けられた複数の表示部に表示可能な複数の表示用メッセージから一以上の表示用メッセージを選択するための指示を取得する指示取得部、及び
前記車両が、歩行者が存在し得る場所に位置していることを条件として、前記車両の前方に設けられた表示部に、前記指示取得部が取得した前記指示に対応する左右が反転した鏡文字に変換させた前記一以上の表示用メッセージを表示させる表示制御部、
として機能させるためのメッセージ表示用プログラム。
【請求項３】
コンピュータを、
車両の前方、後方、左方又は右方のいずれかに設けられた複数の表示部に表示可能な複数の表示用メッセージから一以上の表示用メッセージを選択するための指示を取得する指示取得部、及び
前記指示取得部が取得した前記指示に対応する前記一以上の表示用メッセージが、左右が反転した鏡文字として表示する前記表示用メッセージであることを条件として、前記車両の前方に設けられた表示部に、前記鏡文字に変換させた前記一以上の表示用メッセージを表示させる表示制御部、
として機能させるためのメッセージ表示用プログラム。
【請求項４】
前記コンピュータを、
前記車両の動きを検出する動き検出部、及び
前記動き検出部が検出した前記車両の動きに基づいて、記憶部に記憶された複数のメッセージから前記複数の表示用メッセージを選択するメッセージ選択部、
としてさらに機能させる、
請求項１から３のいずれか一項に記載のメッセージ表示用プログラム。
【請求項５】
前記コンピュータを、前記車両の位置を検出する位置検出部としてさらに機能させ、
前記メッセージ選択部は、前記位置検出部が検出した前記車両の位置に基づいて、前記複数のメッセージを選択する、
請求項４に記載のメッセージ表示用プログラム。
【請求項６】
前記コンピュータを、周囲の一以上の車両との距離を検出する距離検出部として機能させ、
前記メッセージ選択部は、前記距離検出部が検出した前記周囲の一以上の車両との距離に基づいて、前記複数のメッセージを選択する、
請求項４又は５に記載のメッセージ表示用プログラム。
【請求項７】
車両の前方、後方、左方又は右方のいずれかに設けられた複数の表示部に表示可能な複数の表示用メッセージから一以上の表示用メッセージを選択するための指示を取得する指示取得部と、
前記車両の速度が、歩行者が表示メッセージを視認可能であるか否かを示す所定の速度閾値以上であることを条件として、前記車両の前方に設けられた表示部に、前記指示取得部が取得した前記指示に対応する左右が反転した鏡文字に変換させた前記一以上の表示用メッセージを表示させる表示制御部と、
を有するメッセージ表示装置。
【請求項８】
車両の前方、後方、左方又は右方のいずれかに設けられた複数の表示部に表示可能な複数の表示用メッセージから一以上の表示用メッセージを選択するための指示を取得するステップと、
前記車両の速度が、歩行者が表示メッセージを視認可能であるか否かを示す所定の速度閾値以上であることを条件として、前記車両の前方に設けられた表示部に、取得した前記指示に対応する左右が反転した鏡文字に変換させた前記一以上のメッセージを表示させるステップと、
を有するメッセージ表示方法。
【請求項９】
車両の前方、後方、左方又は右方のいずれかに設けられた複数の表示部に表示可能な複数の表示用メッセージから一以上の表示用メッセージを選択するための指示を取得する指示取得部と、
前記車両が、歩行者が存在し得る場所に位置していることを条件として、前記車両の前方に設けられた表示部に、前記指示取得部が取得した前記指示に対応する左右が反転した鏡文字に変換させた前記一以上の表示用メッセージを表示させる表示制御部と、
を有するメッセージ表示装置。
【請求項１０】
車両の前方、後方、左方又は右方のいずれかに設けられた複数の表示部に表示可能な複数の表示用メッセージから一以上の表示用メッセージを選択するための指示を取得するステップと、
前記車両が、歩行者が存在し得る場所に位置していることを条件として、前記車両の前方に設けられた表示部に、取得した前記指示に対応する左右が反転した鏡文字に変換させた前記一以上の表示用メッセージを表示させるステップと、
を有するメッセージ表示方法。
【請求項１１】
車両の前方、後方、左方又は右方のいずれかに設けられた複数の表示部に表示可能な複数の表示用メッセージから一以上の表示用メッセージを選択するための指示を取得する指示取得部と、
前記指示取得部が取得した前記指示に対応する前記一以上の表示用メッセージが、左右が反転した鏡文字として表示する前記表示用メッセージであることを条件として、前記車両の前方に設けられた表示部に、前記鏡文字に変換させた前記一以上の表示用メッセージを表示させる表示制御部と、
を有するメッセージ表示装置。
【請求項１２】
車両の前方、後方、左方又は右方のいずれかに設けられた複数の表示部に表示可能な複数の表示用メッセージから一以上の表示用メッセージを選択するための指示を取得するステップと、
取得した前記指示に対応する前記一以上の表示用メッセージが、左右が反転した鏡文字として表示する前記表示用メッセージであることを条件として、前記車両の前方に設けられた表示部に、前記鏡文字に変換させた前記一以上の表示用メッセージを表示させるステップと、
を有するメッセージ表示方法。